(57)【特許請求の範囲】
【請求項１】
パチンコ島台の遊技機設置位置の下部であってパチンコ島台に対してほぼ直交するように外側に向かって突設されるカウンター台において、
該カウンター台は、その上面がほぼ水平状に形成されると共にその先端側上面にパチンコ玉が落入する溝部が少なくとも当該カウンター台の先端側に沿って形成され、
前記溝部には、落入したパチンコ玉が隣接した遊技機に対応する位置まで転動することを防止する規制部を設けると共に、前記溝部の深さ寸法及び幅寸法がパチンコ玉の直径よりも大きく形成されていることにより、前記カウンター台の上面から当該溝部に落入したパチンコ玉が突出しないようにして当該カウンター台の上面を常に平坦とし、当該カウンター台に載置される玉箱の裏面と当該カウンター台との間に当該溝部に落入したパチンコ玉を挟み込むことがないようにしたことを特徴とするパチンコ島台におけるカウンター台。
【請求項２】
パチンコ島台の遊技機設置位置の下部であってパチンコ島台に対してほぼ直交するように外側に向かって突設されるカウンター台において、
該カウンター台は、その上面がほぼ水平状に形成されると共にその上面にパチンコ玉が落入する溝部が各遊技機に対応する占有領域を取り囲むように周設形成され、前記溝部の深さ寸法及び幅寸法がパチンコ玉の直径よりも大きく形成されていることにより、前記カウンター台の上面から当該溝部に落入したパチンコ玉が突出しないようにして当該カウンター台の上面を常に平坦とし、当該カウンター台に載置される玉箱の裏面と当該カウンター台との間に当該溝部に落入したパチンコ玉を挟み込むことがないようにしたことを特徴とするパチンコ島台におけるカウンター台。
【請求項３】
前記溝部は、該溝部の底面が所定箇所に向かって傾斜し、最も浅い部分でもその深さ寸法はパチンコ玉の直径よりも大きくなっていることを特徴とする請求項１又は請求項２に記載のパチンコ島台におけるカウンター台。
【請求項４】
前記溝部の所定箇所は、所定個数のパチンコ玉を貯留し得ると共に手ですくい取ることが可能な大きさで形成された回収貯留部であることを特徴とする請求項３記載のパチンコ台におけるカウンター台。
【請求項５】
前記溝部の少なくとも一部は、前記カウンター台の上面から下面に亘って貫通し且つ落入したパチンコ玉が落下しない貫通溝部として形成されていることを特徴とする請求項１乃至請求項４のいずれかに記載のパチンコ島台におけるカウンター台。
【発明の詳細な説明】
【０００１】
【発明の属する技術分野】
本発明は、パチンコ島台の遊技機設置位置の下部であってパチンコ島台に対してほぼ直交するように外側に向かって突設されるパチンコ島台におけるカウンター台に関するものである。
【０００２】
【従来の技術】
従来、パチンコ島台におけるカウンター台においては、図１０に示すように、カウンター台３上を転動するパチンコ玉１１が床面等に落下するのを防止するために、その先端側上面に突部２８を形成していた。
【０００３】
【発明が解決しようとする課題】
ところが、近年、遊技者が獲得するパチンコ玉１１の玉量増加に伴い、パチンコ玉１１を入れる玉箱１０のサイズが大きく形成されるようになってきた。このような玉箱１０を従来のパチンコ島台におけるカウンター台３に載置した場合、先端縁に形成された突部２８に玉箱１０の底面の一辺が乗り上げ、玉箱１０を水平状態に載置することができない。このように玉箱１０が傾いた状態で載置された場合、玉箱１０の安定感を失うばかりでなく、玉箱１０内に貯留されるパチンコ玉１１が偏った状態で堆積されるため、玉箱１０の許容貯留量のパチンコ玉１１を貯留する前にカウンター台３上にパチンコ玉１１が溢れ出てしまい、玉箱１０の貯留能力を最大限に生かすことができず、遊技者にとってはせっかく獲得したパチンコ玉１１を床面や離れた位置のカウンター台３上に散在させて失う危険性があるという問題点があった。本発明は上記した事情に鑑みなされたものであり、その目的とするところは、カウンター台上を転動するパチンコ玉をカウンター台から下方に落下させることなく、大きなサイズの玉箱も水平状態で載置することができるパチンコ島台におけるカウンター台を提供することにある。
【０００４】
【課題を解決するための手段】
上記した目的を達成するために本発明が採用した具体的な解決手段を図面を参照して説明する。請求項１の発明においては、図１及び図３に示すように、パチンコ島台１の遊技機２設置位置の下部であってパチンコ島台１に対してほぼ直交するように外側に向かって突設されるカウンター台３において、該カウンター台３は、その上面がほぼ水平状に形成されると共にその先端側上面にパチンコ玉１１が落入する溝部２０が少なくともカウンター台３の先端側に沿って形成されていることを特徴とするものである。このように構成することにより、パチンコ玉１１が玉箱１０等からカウンター台３に落下してきた場合にも溝部２０がパチンコ玉１１を保持するため、カウンター台３からパチンコ玉１１が床面等に落下することなく、しかも大きなサイズの玉箱１０でも水平状態でカウンター台３上に載置することができるため、玉箱１０の貯留能力を最大限に生かすことができる。
【０００５】
また、請求項１の発明においては、図４及び図８に示すように、溝部２６，３３には、落入したパチンコ玉１１が隣接した遊技機２に対応する位置まで転動することを防止する規制部２１を設けたので、溝部２６，３３内のパチンコ玉１１が転動する範囲を規制することができ、パチンコ玉１１が他人の占有領域に転動することがない。また、図６に示すように、溝部２９の深さ寸法及び幅寸法がパチンコ玉１１の直径よりも大きく形成されていることにより、カウンター台３の上面から溝部２９に落入したパチンコ玉１１が突出しないためカウンター台３の上面は常に平坦であり、カウンター台３に玉箱１０を載置した場合にも、玉箱１０の裏面とカウンター台３との間に溝部２９に落入したパチンコ玉１１を挟み込むことがない。
【０００６】
また、請求項２の発明において、図５に示すように、パチンコ島台の遊技機２設置位置の下部であってパチンコ島台に対してほぼ直交するように外側に向かって突設されるカウンター台３において、該カウンター台３は、その上面がほぼ水平状に形成されると共にその上面にパチンコ玉が落入する溝部３０が各遊技機２に対応する占有領域を取り囲むように周設形成されていることを特徴とするものである。このように構成することにより、カウンター台３上のパチンコ玉が他人の占有領域へ転動することを防止できると共に、各遊技機２毎のカウンター台３の占有領域を明確にすることができる。
【０００７】
また、請求項２の発明においては、図６に示すように、溝部２９の深さ寸法及び幅寸法がパチンコ玉１１の直径よりも大きく形成されていることにより、カウンター台３の上面から溝部２９に落入したパチンコ玉１１が突出しないためカウンター台３の上面は常に平坦であり、カウンター台３に玉箱１０を載置した場合にも、玉箱１０の裏面とカウンター台３との間に溝部２９に落入したパチンコ玉１１を挟み込むことがない。
【０００８】
また、請求項３の発明においては、図８に示すように、溝部３３は、該溝部３３の底面３４が所定箇所に向かって傾斜し、最も浅い部分でもその深さ寸法はパチンコ玉１１の直径よりも大きくなっている。このため、溝部３３に落入したパチンコ玉１１がカウンター台３の上面から突出することなく、パチンコ玉１１を底面３４の傾斜下端に集めることができ、溢れ落ちたパチンコ玉１１を簡単に拾い集めることができる。
また、請求項４の発明においては、図９に示すように、溝部３６，３７の所定箇所は、所定個数のパチンコ玉１１を貯留し得ると共に手ですくい取ることが可能な大きさで形成された回収貯留部２７としている。これにより、カウンター台３上に溢れ出たパチンコ玉１１のほとんどすべてを溝部３６，３７によってカウンター台３上面から突出させることなく保持することができ、玉箱１０の裏面とカウンター台３でパチンコ玉１１を挟み込むことなく、カウンター台３上に玉箱１０を水平状態で載置することができる。さらに、それらの溝部３６，３７の底面２２を回収貯留部２７に向かって傾斜して形成することにより、パチンコ玉１１を回収貯留部２７で容易に回収することができる。
更に、請求項５の発明においては、図４及び図６に示すように、溝部２６，２９の少なくとも一部は、カウンター台３の上面から下面に亘って貫通し且つ落入したパチンコ玉１１が落下しない貫通溝部２６，２９として形成されていることにより、溝部２６，２９内に堆積したゴミや埃などを該貫通溝部２６若しくは貫通溝部２９から落下させることができ、簡単に清掃作業をすることができる。
【０００９】
【発明の実施の形態】
以下、図面を参照して、本発明の実施形態について説明する。まず、図１を参照して実施形態に係るパチンコ島台１の全体の構成について説明する。図１はパチンコ島台１を前方から見た全体の斜視図である。
【００１０】
図１において、パチンコ島台１は、木製や金属性の支柱をほぼ直方体状に骨組みした形状であり、その一側面または両側面の垂直方向ほぼ中央の位置に遊技機２としてのパチンコ機２が配設されるようになっている。各パチンコ機２の上部には、呼出ランプ装置４の取り付けられた上部装飾板５がパチンコ島台１の長手方向に沿って取り付けられ、その上部装飾板５の上部に欄間６が開閉自在に取り付けられている。この欄間６は、パチンコ機２の２台分幅の長さを有し、パチンコ島台１の長手方向に沿って取り付けられている。パチンコ島台１の上方の内部には、揚送されたパチンコ玉を各パチンコ機２及び次に説明する玉貸機７に供給する補給経路（図示しない）が配置され、この補給経路に玉詰まり等のトラブルが生じた場合に、欄間６を開放して補給経路での作業を行うことによりトラブルを解消することができるようになっている。また、各パチンコ機２間にはそれぞれ玉貸機７が設置され、遊技者は遊技中でも席を立つことなくパチンコ玉を借りることができる。
【００１１】
一方、パチンコ島台１の下部側面には腰板８が張り付けられ、腰板８とパチンコ機２の下部との間に、パチンコ島台１に対してほぼ直交するように、外側に向かって突設されるほぼ水平状のカウンター台３が設けられている。このカウンター台３には、遊技者がパチンコ機２における遊技で獲得したパチンコ玉を下皿９から移し替えて貯留する玉箱１０（図３参照）を載置することが可能であり、玉箱１０をカウンター台３に載置したときには、その玉箱１０がパチンコ機２の下皿９の下方に位置するようになっている。
【００１２】
以上、実施形態に係るパチンコ島台１の概略を説明したが、次に、本実施形態の要部を構成するカウンター台３の詳細な構成について図１乃至図３を参照して説明する。図１は、前述した通りであり、図２は、第一実施形態に係る溝部２０が設けられたカウンター台３部分を示す拡大斜視図であり、図３は、そのカウンター台３に玉箱１０が載置された状態の断面図である。
【００１３】
図において、カウンター台３は、パチンコ島台１を枠組み構成する縦桟及び横桟にカウンター台３の主要構成部品である木製の支持板２４を固定し、その支持板２４の後方部分にパチンコ機２を固定するための調整板２３が密着固定されている。そして、支持板２４の上面を覆うようにステンレス製の化粧板２５が貼付されている。このように構成されるカウンター台３は、その上面がほぼ水平状となっている。
【００１４】
また、カウンター台３の先端側上面には、カウンター台３の先端側に沿ってパチンコ玉１１の一部が落入し得る溝部２０が形成されている。この溝部２０は、支持台２４の上面に凹状に刻設されたものであり、その形状に沿うように化粧板２５も凹状に形成されている。そして、溝部２０の横幅寸法は、パチンコ玉１１の直径よりもやや小さく、深さ寸法は、溝部２０にパチンコ玉１１が保持された場合に、溝部２０の底面２２がパチンコ玉１１の下端と接触しないような程度である。
【００１５】
しかして、上記のように構成されるカウンター台３においては、カウンター台３上に載置された玉箱１０、あるいはパチンコ機２の下皿９からカウンター台３にパチンコ玉１１がこぼれ落ちた場合でも、溝部２０にパチンコ玉１１が保持されることにより、パチンコ玉１１がカウンター台３から床面に落下するのを防止することができると共に、玉箱１０を常に水平状態に載置することが可能であるので、玉箱１０の貯留能力を最大限に生かすことができる。なお、カウンター台３の玉箱１０を載置する位置にパチンコ玉が乗っている場合でも、そのパチンコ玉１１を溝部２０に沿って玉箱１０の載置位置から外れた位置に移動させることにより、玉箱１０を水平状態でカウンター台３上に載置することができる。
【００１６】
上記した実施形態（以下、第一実施形態という）においては、カウンター台３に形成された溝部２０は、カウンター台３の長手方向の一端から他端まで通して形成されているものを示したが、このような構造であると隣接したパチンコ機２よりも離れた位置まで移動してしまうこともあるので、例えば、溝部２０において、隣接する各パチンコ機２の間にパチンコ玉１１の転動を規制する規制部を設けたものであってもよい。このような実施形態（以下、第二実施形態という）について、図４を参照して説明する。図４は、第二実施形態に係る溝部が貫通溝部２６として形成されると共に、該貫通溝部２６において各パチンコ機２間で規制部２１を設けた状態を示す拡大斜視図である。なお、第一実施形態と同一の部品には、同じ符号を付した。
【００１７】
図４において、第二実施形態に係るカウンター台３に設けられた貫通溝部２６には、規制部２１が設けられている。この規制部２１は、各パチンコ機２の横幅寸法に相当する間隔毎に、その上面がカウンター台３の上面と同一面となるように設けられており、貫通溝部２６に落入したパチンコ玉１１（図示しない）が転動してきたときにパチンコ玉１１の下部側方と当接してパチンコ玉１１が転動することを規制することができるようになっている。このようにパチンコ玉１１が転動する範囲を規制することにより、パチンコ玉１１が他人の占有する領域（パチンコ機２毎に対応するように区切られるカウンター台３の上面の領域；以下、占有領域という）に転動することを防止することができる。なお、規制部２１の上面は、カウンター台３の上面と必ずしも同一面とする必要はなく、パチンコ玉１１が他人の占有領域に転動することを防止することができればよく、カウンター台３の上面よりも低い位置に形成されていてもよい。
【００１８】
また、規制部の構造として、カウンタ−台３の上面と同一平面となる構造だけでなく、例えば、溝部の上端縁をジグザグ状に形成したり、パチンコ玉１１が嵌り込むように凹状に形成したりしてパチンコ玉１１の転動ができないような構造、あるいは、各パチンコ機２の境界部分に永久磁石を埋設してパチンコ玉１１の転動を防止する構造等が考えられる。要は、パチンコ玉１１の転動を防止する構造であればどのような構造でも良い。
【００１９】
ところで、図４に示す貫通溝部２６は、第一実施形態に係る溝部２０と異なり、底面２２がなく上下に貫通した貫通溝部２６となっている。このような貫通溝部２６として溝部を構成した場合には、貫通溝部２６に入ったゴミや埃等が底面に溜ることがないので、簡単に清掃作業をすることができる。また、第一実施形態に係る溝部２０のように底面２２がある場合でも底面の一部に貫通した穴を形成しておけば、溝部２０内に溜ったゴミや埃等を貫通した穴を介して下方に落とすことができ、簡単に清掃作業を行うことができる。また、図４に描かれた貫通溝部２６は、化粧板２５を成形する部材（ステンレスであるが合成樹脂でもよい）と同じ部材で形成された角筒状のものを規制部２１部分で接続したものが示されているが、支持板２４を貫通するように溝開口を形成し、その溝開口に対応する位置に細溝状の開口を形成した化粧板を被覆することにより貫通溝部２６を構成したものでも良い。
【００２０】
上記した第一実施形態及び第二実施形態においては、カウンター台３に設けられた溝部２０，２６は、カウンター台３の先端側でパチンコ島台１の長手方向に沿って形成されているものを示したが、この場合には、溢れ落ちたパチンコ玉１１の床面へのパチンコ玉１１の落下を防ぐことができるが、カウンター台３の水平上面を長手方向に転動するパチンコ玉１１の移動を防止することができない。このカウンター台３の水平上面の長手方向の転動を防止する実施形態（以下、第三実施形態という）について、図５を参照して説明する。図５は、第三実施形態に係る各パチンコ機２毎に溝部としてのＵ字形状溝部３０を周設した状態を示すカウンター台３の拡大斜視図である。なお、第一実施形態と同一の部品には、同じ符号を付した。
【００２１】
図５において、第三実施形態に係るカウンター台３には、各パチンコ機２毎に、カウンター台３の占有領域を取り囲むようにＵ字形状溝部３０が周設形成されている。また、Ｕ字形状溝部３０は、隣接するＵ字形状溝部３０と一定の間隔を持って配置されており、各パチンコ機２毎に対応する占有領域に独立して形成されている。なお、Ｕ字形状溝部３０の横幅寸法及び深さ寸法は、パチンコ玉１１（図示しない）の直径よりも大きくても小さくてもよい。このように、各パチンコ機２毎のカウンター台３の占有領域を取り囲むようにＵ字形状溝部３０を設けることにより、カウンター台３上のパチンコ玉１１が他人の占有領域へ転動することを防止できると共に、各パチンコ機２毎のカウンター台３の占有領域を明確にすることができる。なお、溝部の形状として、図示のＵ字形状溝部３０のパチンコ機２側の両終端部を溝部でつなぎ、全体としてＯ字形状に周設しても同様の効果を得ることができる。
【００２２】
また、前述した第一実施形態及び第二実施形態においては、溝部２０，２６の幅寸法がパチンコ玉１１の直径よりも小さいものを示したが、溝部２０，２６の幅寸法及び深さ寸法がパチンコ玉１１の直径よりも大きくて落入したパチンコ玉１１の全体が溝部にとりいれられるものであってもよい。但し、この場合、溝部２０のように底面２２を有するものであればそのまま幅寸法及び深さ寸法をパチンコ玉１１の直径を大きくすることができるが、貫通溝部２６のように底面を有しない場合は、パチンコ玉１１が下方に落下しないような構造とする必要がある。このような実施形態（以下、第四実施形態という）について、図６を参照して説明する。図６は、第四実施形態に係る溝部が貫通溝部２９として形成されたカウンター台３に玉箱１０が載置された状態の断面図である。なお、第一実施形態と同一の部品には、同じ符号を付した。
【００２３】
図６において、第四実施形態に係るカウンター台３には、側面が湾曲した断面形状の貫通溝部２９が形成されている。この貫通溝部２９は、図４に示す貫通溝部２６と同様に規制部２１から規制部２１の間に亘って形成されている。しかして、貫通溝部２９の幅寸法がカウンター台３の上面から下面に亘ってパチンコ玉１１の直径よりも大きく形成されている場合には、パチンコ玉１１が貫通溝部２９から下方へ落下してしまう虞れがあるため、本実施形態の場合には、貫通溝部２９の側面を湾曲させることにより、パチンコ玉１１を落下させることなく保持することができるようになっている。即ち、この貫通溝部２９の形状は、その外側開口部の幅寸法がパチンコ玉１１の直径よりも大きく、もっとも狭くなった開口部分の幅寸法がパチンコ玉１１の直径よりも小さくなっており、しかも貫通溝部２９にパチンコ玉１１が保持された場合に、パチンコ玉１１がカウンター台３の上面から突出しない形状になっている。
【００２４】
しかして、貫通溝部２９を上記のように形成することにより、カウンター台３の上面からパチンコ玉１１が突出しないためカウンター台３の上面は常に平坦であり、カウンター台３に玉箱１０を載置した場合にも、玉箱１０の裏面とカウンター台３との間にパチンコ玉１１を挟み込むことがない。なお、この第四実施形態の場合には、規制部２１から規制部２１の間に亘って貫通溝部２９としたが、一部だけを貫通溝部としてもよい。また、溝部の断面形状として貫通溝部２９のような湾曲ではなく凹状であってもよい。
【００２５】
なお、上記した第一実施形態乃至第四実施形態においては、カウンター台３上面のほぼ水平状の構造として溝部２０，貫通溝部２６，２９，Ｕ字形状溝部３０を挟んで遊技機２側のカウンター台３上面の高さと遊技者側のカウンター台３上面の高さが同じものを示したが、図７に示すような、溝部としての段差状溝部３１を挟んで遊技者側のカウンター台３の上面の高さが、遊技機２側のカウンター台３の高さよりも低く形成されたものもほぼ水平状の構成に含まれるものである。
【００２６】
また、前述した第一実施形態及び第三実施形態においては、カウンター台３に設けられた溝部２０，３０の底面が水平状態で形成されているものを示したので、溝部２０，３０に落入したパチンコ玉１１が落入した位置で留まっている場合が多く、拾い集める作業が面倒となる場合がある。そこで、例えば、溝部の底面を傾斜させて所定の個所に集めるようにすることが考えられる。このような実施形態（以下、第五実施形態という）について図８を参照して説明する。図８は、第五実施形態に係る底面３４が傾斜した溝部３３が形成されるカウンター台３を含むパチンコ島台１の正面図である。なお、第一実施形態と同一の部品には、同じ符号を付した。
【００２７】
図８において、第五実施形態に係るカウンター台３に設けられた溝部３３は、パチンコ機２の横幅寸法とほぼ同じ間隔で内部に規制部３５が形成され、その規制部３５と規制部３５との間の底面３４が一端部から他端部に向かって傾斜し、最も浅い部分でもその深さ寸法はパチンコ玉１１の直径よりも大きくなっている。このため、溝部３３に落入したパチンコ玉１１がカウンター台３の上面から突出することなく、パチンコ玉１１を底面３４の傾斜下端に集めることができ、溢れ落ちたパチンコ玉１１を簡単に拾い集めることができる。
【００２８】
更に、前述した第三実施形態においては、カウンター台３に設けられたＵ字形状溝部３０は、カウンター台３上の占有領域を囲むように一本の連続したＵ字形状溝部３０で構成されているので、Ｕ字形状溝部３０の内側に溢れたパチンコ玉１１がＵ字形状溝部３０以外の水平上面に留まったままとなる場合が多い。このような溢れ落ちたパチンコ玉１１が水平上面に留まる状態を少なくすることができる実施形態（以下、第六実施形態という）について、図９を参照して説明する。図９は、第六実施形態に係るカウンター台３を示す平面図である。なお、第一実施形態と同一の部品には、同じ符号を付した。
【００２９】
図９において、第六実施形態に係るカウンター台３には、深さ寸法及び横幅寸法が、パチンコ玉１１の直径よりも大きく形成され且つ第三実施形態と同じように占有領域を囲むように形成されたＵ字形状溝部３６と、該Ｕ字形状溝部３６と連通し且つカウンター台３の長手方向に対して垂直状に複数本の併設溝部３７とが形成されている。複数本の併設溝部３７は、パチンコ機２の横幅方向の端部から端部に亘って、ほぼ均等の間隔をもって形成されている。また、複数本の併設溝部３７の底面３８はＵ字形状溝部３６に向かって傾斜し、しかもＵ字形状溝部３６も回収貯留部２７に向かって傾斜しているので、併設溝部３７及びＵ字形状溝部３６に落入したパチンコ玉１１は、すべて回収貯留部２７に集められる。そして、その回収貯留部２７には、所定個数のパチンコ玉１１を貯留し得ると共に手ですくい取ることが可能な大きさで形成されている。
【００３０】
上記のようにカウンター台３上にＵ字形状溝部３６及び併設溝部３７を形成することにより、カウンター台３上に溢れ出たパチンコ玉１１のほとんどすべてを併設溝部３７及びＵ字形状溝部３６によってカウンター台３上面から突出させることなく保持することができ、玉箱１０の裏面とカウンター台３でパチンコ玉１１を挟み込むことなく、カウンター台３上に玉箱１０を水平状態で載置することができる。さらに、それらの溝部３６，３７の底面２２を回収貯留部２７に向かって傾斜して形成することにより、パチンコ玉１１を回収貯留部２７で容易に回収することができる。
【００３１】
以上、複数の実施形態について説明してきたが、それらの実施形態において、カウンター台３としてパチンコ島台１の長手方向に沿って突設された長尺のカウンター台３を示したが、必ずしもカウンター台の形状は長尺のカウンター台３でなくてもよく、遊技機２毎に設けられる単体カウンターであっても良い。また、カウンター台３を構成する材質として木製の支持板２４の上面をステンレス製の化粧板２５で被覆したものを示したが、必ずしもこれらの構成を木又はステンレスで構成したものでなくてもよく、例えば、支持板２４と化粧板２５とを合成樹脂で一体的に形成したものでも良いし、更には、中空状のステンレスでカウンター台３を構成したものでも良い。更に、パチンコ島台１に設置される遊技機として、パチンコ機２に限らず、パチンコ玉を使用して遊技を行う遊技機であれば良い。
【００３２】
【発明の効果】
以上、説明したところから明らかなように、請求項１の発明においては、パチンコ島台の遊技機設置位置の下部であってパチンコ島台に対してほぼ直交するように外側に向かって突設されるカウンター台において、該カウンター台は、その上面がほぼ水平状に形成されると共にその先端側上面にパチンコ玉が落入する溝部が少なくともカウンター台３の先端側に沿って形成されているので、パチンコ玉が玉箱等からカウンター台に落下してきた場合にも溝部がパチンコ玉を保持するため、カウンター台からパチンコ玉が床面等に落下することなく、しかも大きなサイズの玉箱でも水平状態でカウンター台上に載置することができるため、玉箱の貯留能力を最大限に生かすことができる。
【００３３】
また、請求項１の発明においては、前記溝部には、落入したパチンコ玉が隣接した遊技機に対応する位置まで転動することを防止する規制部を設けたので、溝部内のパチンコ玉が転動する範囲を規制することができ、パチンコ玉が他人の占有領域に転動することがない。
また、前記溝部の深さ寸法及び幅寸法がパチンコ玉の直径よりも大きく形成されていることにより、カウンター台の上面から溝部に落入したパチンコ玉が突出しないためカウンター台の上面は常に平坦であり、カウンター台に玉箱を載置した場合にも、玉箱の裏面とカウンター台との間に溝部に落入したパチンコ玉を挟み込むことがない。
【００３４】
また、請求項２の発明において、パチンコ島台の遊技機設置位置の下部であってパチンコ島台に対してほぼ直交するように外側に向かって突設されるカウンター台において、該カウンター台は、その上面がほぼ水平状に形成されると共にその上面にパチンコ玉が落入する溝部が各遊技機に対応する占有領域を取り囲むように周設形成されているので、カウンター台上のパチンコ玉が他人の占有領域へ転動することを防止できると共に、各遊技機毎のカウンター台の占有領域を明確にすることができる。
【００３５】
また、請求項２の発明においては、前記溝部の深さ寸法及び幅寸法がパチンコ玉の直径よりも大きく形成されていることにより、カウンター台の上面から溝部に落入したパチンコ玉が突出しないためカウンター台の上面は常に平坦であり、カウンター台に玉箱を載置した場合にも、玉箱の裏面とカウンター台との間に溝部に落入したパチンコ玉を挟み込むことがない。
【００３６】
また、請求項３の発明においては、前記溝部は、該溝部の底面が所定箇所に向かって傾斜し、最も浅い部分でもその深さ寸法はパチンコ玉の直径よりも大きくなっている。このため、溝部に落入したパチンコ玉がカウンター台の上面から突出することなく、パチンコ玉を底面の傾斜下端に集めることができ、溢れ落ちたパチンコ玉を簡単に拾い集めることができる。
また、請求項４の発明においては、前記溝部の所定箇所は、所定個数のパチンコ玉を貯留し得ると共に手ですくい取ることが可能な大きさで形成された回収貯留部であると共に、該溝部の底面が前記回収貯留部に向かって傾斜しているので、溝部に落入したパチンコ玉は、すべて回収貯留部に集められる。これにより、カウンター台３上に溢れ出たパチンコ玉のほとんどすべてを溝部によってカウンター台上面から突出させることなく保持することができ、玉箱の裏面とカウンター台でパチンコ玉を挟み込むことなく、カウンター台上に玉箱を水平状態で載置することができる。さらに、溝部の底面を回収貯留部に向かって傾斜して形成することにより、パチンコ玉を回収貯留部で容易に回収することができる。
更に、請求項５の発明においては、前記溝部の少なくとも一部は、前記カウンター台の上面から下面に亘って貫通し且つ落入したパチンコ玉が落下しない貫通溝部として形成されていることにより、溝部内に堆積したゴミや埃などを該貫通溝部から落下させることができ、簡単に清掃作業をすることができる。
【図面の簡単な説明】
【図１】  実施例に係るカウンター台が適用されるパチンコ島台の斜視図である。
【図２】  第一実施形態に係る溝部が設けられたカウンター台部分を示す拡大斜視図である。
【図３】  第一実施形態に係るカウンター台に玉箱が載置された状態の断面図である。
【図４】  第二実施形態に係る溝部が貫通溝部として形成されると共に、該貫通溝部において各パチンコ機間で規制部を設けた状態を示す拡大斜視図である。
【図５】  第三実施形態に係る各パチンコ機毎にＵ字形状に溝部を周設した状態を示すカウンター台の拡大斜視図である。
【図６】  第四実施形態に係る溝部が貫通溝部として形成されたカウンター台上に玉箱が載置された状態を示す断面図である。
【図７】  第一実施形態乃至第四実施形態に係るカウンター台において、溝部を挟んで遊技機側と遊技者側で高さを変えた場合のカウンター台を示す断面図である。
【図８】  第五実施形態に係る底面が傾斜した溝部が形成されるカウンター台を含むパチンコ島台の正面図である。
【図９】  第六実施形態に係るカウンター台を示す平面図である。
【図１０】  従来のパチンコ島台におけるカウンター台の作用を示す断面図である。
【符号の説明】
１  パチンコ島台
２  パチンコ機（遊技機）
３  カウンター台
９  下皿
１０  玉箱
１１  パチンコ玉
２０  溝部
２１  規制部
２２  底面
２６  貫通溝部（溝部）
２８  突部
２９  貫通溝部（溝部）
【図１】
0004379929.tif 000002
【図２】
0004379929.tif 000003
【図３】
0004379929.tif 000004
【図４】
0004379929.tif 000005
【図５】
0004379929.tif 000006
【図６】
0004379929.tif 000007
【図７】
0004379929.tif 000008
【図８】
0004379929.tif 000009
【図９】
0004379929.tif 000010
【図１０】
0004379929.tif 000011